(57)【要約】  【課題】ＩＣチップを内蔵したＩＣタグを収容した差込体を交換することで、物品に取り付けた係脱自在の保持具を再利用できるＩＣタグ用の保持具を提供する。  【解決手段】ＩＣチップ３０を内蔵したＩＣタグ４を収容した差込体３を、左右の開口部から差し込むことができる収容体１の頂部に、物品３８等に取り付けることができる取付帯２を係脱可能に設け、ＩＣタグ４を収容した差込体３は周囲に係止部３４を突設し、収容体１における収容部７の貫通孔９の上下面に被係止部１０を凹設して差込体３を係脱自在に係止し、収容体１に差込体３を差し込んだとき、ＩＣタグ４を保護し、収容体１が破損したときなどは収容体１から差込体３を抜き取り、ＩＣタグ４を再利用できるＩＣタグ用の保持具である。  【選択図】図２
2007292796.tif 000002
【特許請求の範囲】
【請求項１】
ＩＣタグ４を収容した収容体１またはＩＣタグ４を収容した差込体３の収容部７を設けた収容体１に取付用の取付帯２を設け、ＩＣチップ３０を埋装したＩＣタグ４またはＩＣタグ４を収容した差込体３を収容体１に対し、嵌脱可能に形成してなることを特徴とするＩＣタグ用の保持具。
【請求項２】
取付帯２の先端に設けた係合部２０と、収容体１または取付帯２に形成した被係合部１３とを係脱可能に形成してなる請求項１記載のＩＣタグ用の保持具。
【請求項３】
収容体１の収容部７に設けた被係止部１０と差込体３に設けた係止部３４とを係脱可能に形成してなる請求項１記載のＩＣタグ用の保持具。
【請求項４】
収容体１の一方の本体１８における周壁３２の外側に設けた被係止部１０と、収容体１の他方の蓋体１１における周縁部１２の内側に設けた係止部３４とを係脱可能に形成してなる請求項１記載のＩＣタグ用の保持具。
【請求項５】
差込体３は、ＩＣタグ収容部２９を有し、差込体３が収容体１の収容部７に収容したとき、ＩＣタグ収容部２９が収容体１によって被覆されてなる請求項１記載のＩＣタグ用の保持具。
【請求項６】
ＩＣタグ収容部２９は、ＩＣタグ４を載置する底板３３と、底板３３から起立する周壁３２とを有してなる請求項５記載のＩＣタグ用の保持具。
【発明の詳細な説明】
【技術分野】
【０００１】
この発明は、各種識別情報を記録して物品に取り付けることができる、ＩＣチップを内蔵したＩＣタグ用の保持具に関するものである。
【背景技術】
【０００２】
従来、クリーニング業界等において、洗濯物の管理システムを無人化するため、非接触信号の伝送用の機能部品ならびに情報の書き込み、読み出し用の機能部品などが実装されたＩＣと、このＩＣを埋め込み保持するためのポリアミド系樹脂から作製したバンドを形成し、このバンドの両端をバックルによって自由に接続かつ離脱させることができ、衣服などへ着脱できるＩＣタグ保持用のバンドが図９に示すように知られている。
【０００３】
また、ＩＣを利用して多種多様な物品を同時に同一処理を施し、処理後の各物品を確実に識別して物品管理を容易にするために、ポリアミド系樹脂から作製したバンドにＩＣチップを埋め込み、バンドの端部に取り付けたバックルによって、バンドの両端部を確実に着脱できるように形成したＩＣタグ付き結束バンドが、図１０に示すように知られている。
【特許文献１】実開平５−９２８６９号公報
【特許文献２】実用新案登録第３１１０９６５号公報
【発明の開示】
【発明が解決しようとする課題】
【０００４】
前項で述べた図９に示すＩＣタグ保持用のバンドも、また図１０に示すＩＣタグ付き結束バンドも共に、バンド主体にＩＣチップを埋め込んだものであり、バンドを繰り返して使用するうちにバンド主体が劣化し、バンド主体に裂目や変形が生じてバンドを使用できなくなった場合に、バンドごとＩＣチップを廃棄処分することになり、未だ正常に機能するＩＣチップを再利用することができないので不経済であるなど問題点がある。
【０００５】
この発明は、上述の問題点を考慮して発明されたものであり、この発明のうち請求項１記載の発明は、ＩＣタグ用の保持具すなわちＩＣタグ用のバンドまたはＩＣタグ用の結束バンドに相当する保持具は、収容体、差込体、取付帯から形成し、ＩＣタグまたはＩＣタグを配した差込体を収容体に嵌脱可能に形成することにより、ＩＣタグまたはＩＣタグを収容した差込体に対して収容体を交換可能とし、経済的に優れた保持具であり、また保持具の取り扱いが易しく、人体またはどんな物品に対しても簡単に取り付けて使用することができるＩＣタグ用の保持具を提供することが主たる目的である。
【０００６】
請求項２記載の発明は、請求項１記載の発明の目的に加え、収容体に連結された取付帯の先端を収容体または取付帯の一部に対し、簡単に係合させまた離脱させることができる形態に取り付けることができるＩＣタグ用の保持具を提供することが目的である。
【０００７】
請求項３記載の発明は、請求項１記載の発明の目的に加え、収容体の収容部に対し、ＩＣタグを内蔵した差込体とを簡単に係合させ、また離脱させることができる形態に形成したＩＣタグ用の保持具を提供することが目的である。
【０００８】
請求項４記載の発明は、請求項１記載の発明の目的に加え、収容体は本体と蓋体とから形成し、本体と蓋体とを簡単に係合させ、また離脱させることができる形態に形成し、ＩＣタグの収容が簡易に行えるＩＣタグ用の保持具を提供することが目的である。
【０００９】
請求項５記載の発明は、請求項１記載の発明の目的に加え、収容体の収容部に差し込むことができる差込体は、ＩＣタグを収容できるＩＣタグ収容部を有し、収容部に差込体を収容したとき、ＩＣタグ収容部が収容体によって被覆され隠蔽される形態に形成し、ＩＣタグを安全に保護することができるＩＣタグ用の保持具を提供することが目的である。
【００１０】
請求項６記載の発明は、請求項５記載の発明の目的に加え、ＩＣタグ収容部は、ＩＣタグを載置する底板と、底板から起立する周壁とを有することによって、ＩＣタグをその上面側を除く形で包囲し、保護する形態に形成したＩＣタグ用の保持具を提供することが目的である。
【課題を解決するための手段】
【００１１】
前記の目的を達成するため、この発明のうち請求項１記載の発明は、ＩＣタグ用の保持具は、ＩＣタグ４を収容した収容体１、またはＩＣタグ４を収容した差込体３を収容するための収容部７を設けた収容体１に人体または各種の物品３８への取り付けるための取付帯２を設け、ＩＣチップ３０を埋装したＩＣタグ４またはＩＣタグ４を収容した差込体３を収容体１に対し、嵌脱自在の形態に形成したＩＣタグ用の保持具を主な構成とするものである。
【００１２】
請求項２記載の発明は、請求項１記載の発明の構成に加え、収容体１に連結した取付帯２の先端に形成した係合部２０と、収容体７または取付帯２に形成した被係合部１３とを、取付帯２の先端が収容体７または取付帯２の基端側と連結するために係脱可能な形態に形成したＩＣタグ用の保持具である。
【００１３】
請求項３記載の発明は、請求項１記載の発明の構成に加え、収容体１の収容部７に設けた被係止部１０と、差込体３に設けた係止部３４とを、差込体３を収容体１の収容部７に差し込んだときに係脱可能な形態に形成したＩＣタグ用の保持具である。
【００１４】
請求項４記載の発明は、請求項１記載の発明の構成に加え、収容体１の一方の本体１８における周壁３２の外壁面に設けた被係止部１０と、収容体１の他方の蓋体１１における周縁部１２の内壁面に設けた係止部３４とを、蓋体１１が本体１８に被ったときに係脱可能な形態に形成したＩＣタグ用の保持具である。
【００１５】
請求項５記載の発明は、請求項１記載の発明の構成に加え、差込体３にＩＣタグ４を収容するためのＩＣタグ収容部２９を設け、差込体３を収容体１の収容部７に差し込み収容したとき、ＩＣタグ収容部２９が収容体１によって被覆される形態に形成したＩＣタグ用の保持具である。
【００１６】
請求項６記載の発明は、請求項５記載の発明の構成に加え、ＩＣタグ４を収容するためのＩＣタグ収容部２９は、ＩＣタグ４を載置する底板３３と底板３３から起立する周壁３２とを有する形態に形成したＩＣタグ用の保持具である。
【発明の効果】
【００１７】
この出願の発明の効果として、請求項１記載の発明は、ＩＣタグを収容した収容体１、またはＩＣタグを収容した差込体の収容部を設けた収容体に取付用の取付帯を設け、ＩＣチップを埋装したＩＣタグまたはＩＣタグを収容した差込体を収容体に対し、嵌脱可能に形成したことによって、ＩＣチップを内蔵したＩＣタグまたはＩＣタグを収容した差込体に対して収容体を交換可能とすることができ、収容体が破損してもＩＣタグまたはＩＣタグを収容した差込体を収容部から抜き取ることが何度でも行うことができ安価で経済的である。また保持具の取り扱いが簡便にできる効果がある。
【００１８】
請求項２記載の発明は、請求項１記載の発明の効果に加え、取付帯の先端に設けた係合部と、収容体または取付帯に形成した被係合部とを係脱可能に形成したことによって、取付帯を簡単に収容体または取付帯に対して着脱自在に形成することができ、保持具を何れの物品に対しても、簡易に取り付けることができる効果がある。
【００１９】
請求項３記載の発明は、請求項１記載の発明の効果に加え、収容体の収容部に設けた被係止部と、差込体に設けた係止部とを係脱可能に形成したことによって、差込体を収容体の収容部に差し込んだときに、収容部から抜け取れないようにすることができる効果がある。
【００２０】
請求項４記載の発明は、請求項１記載の発明の効果に加え、収容体の一方の本体における周壁の外側に設けた被係止部と、収容体の他方の蓋体における周縁部の内側に設けた係止部とを係脱可能に形成したことによって、本体と蓋体とから形成した収容体において、蓋体を本体に対し簡易に着脱自在に形成し、ＩＣタグを容易に収容し、かつまた容易に交換することができる効果がある。
【００２１】
請求項５記載の発明は、請求項１記載の発明の効果に加え、差込体は、ＩＣタグを収容するＩＣタグ収容部を有し、差込体を収容体の収容部に収容したとき、ＩＣタグ収容部が収容体によって被覆されることによって、差込体を収容部に差し込んだとき、ＩＣチップを内蔵したＩＣタグが他の物品または水や薬品などの液体との接触による破損から護られ、確実かつ長期の使用に耐えられるように収容体が保護する効果がある。
【００２２】
請求項６記載の発明は、請求項５記載の発明の効果に加え、差込体に形成するＩＣタグ収容部は、ＩＣタグを載置できる底板と、この底板から起立する周壁とによって形成したことによって、ＩＣチップを内蔵したＩＣタグを簡易かつ耐久性のあるように差込体に収容し、ＩＣタグを差込体が保護し、かつ作製が容易にできる効果があるなど、この発明が奏する効果は、きわめて顕著である。
【発明を実施するための最良の形態】
【００２３】
この発明のＩＣタグ用の保持具は、図１〜４に示すとおり、保持具はＩＣタグ４を備えた差込体３と、この差込体３を差し込むことができる収容体１と、収容体１の一部に連結され各種の物品に取り付けることができる取付帯２とから形成する。収容体１は扁平状で左右に開口部８を有する貫通孔９を設け、この貫通孔９の上下内側面に差込体３を係止できる凹状の被係止部１０を設ける。収容体１には人体または物品３８に取り付けることができる取付帯２を収容体１の頂部から一体に設ける。この取付帯２の先端を係合できる被係合部１３を設け、この被係合部１３は貫通孔９の上方に形成され、取付帯２の先端に設けた係合部２０の頭部２３が挿入でき孔部１５を設け、この孔部１５に連通する凹部１４を設け、係合部２０の首部２２が挿入して係合できる形態に熱可塑性樹脂を用いて一体成形で形成する。
【００２４】
収容体１の一端に配設する取付帯２は、細幅状の取付帯２で一端を収容体１に連結し、熱可塑性樹脂を用いて一体成形で取り付け、取付帯２の他端には収容体１に設けた被係合部１３に係合することができる係合部２０を設ける。この係合部２０は取付帯２の幅よりも幅広い基板２１を設け、基板２１の中央に先端が膨大状の頭部２３を設け、頭部２３と基板２１との間に頭部２３より細い首部２２を形成し、収容体１に形成した被係合部１３の凹部１４に係合する形態に形成する。
【００２５】
差込体３は、正方形の底板３３と、底板３３の周縁に沿って起立する周壁３２とを有し、底板３３と周壁３２とにより囲まれたＩＣタグ収容部２９を形成する。このＩＣタグ収容部２９に各種の情報を記憶したＩＣチップ３０を底板３３上に載置し、ＩＣチップ３０の周りをホットメルト加工によって、樹脂で被覆して被覆部３１を形成してＩＣチップ３０を保護し、周壁３２の各外側面にそれぞれ突出する凸状の係止部３４を設け、ＩＣタグ４を形成して収容体１の収容部７に差し込んだとき、貫通孔９に設けた凹状の被係止部１０と係止して固定できる形態に形成する。
【００２６】
使用態様は、物品の情報を記憶したＩＣチップ３０を埋装したＩＣタグ４を収容体１の収容部７に差し込み、取付帯２の先端の係合部２０を物品３８の取付部３９に挿通した後、係合部２０を収容体１に形成した被係合部１３に挿入し、係合部２０の基板２１に設けた首部２２を被係合部１３の凹部１４に係合させて収容体１を固定する。ＩＣタグ４は収容体１の収容部７から取り外すことができ、収容体１が破損した場合に収容体１を交換して再利用することができるＩＣタグ用の保持具であり、また物品はＩＣタグ４に基づいて情報を読み取り、物品の処理、管理を完全自動化させることができる。
【実施例１】
【００２７】
図１〜４に示す実施例１のＩＣタグ用の保持具は、前項で説明したとおりの構成であり、保持具はＩＣタグ４を具備した差込体３と、この差込体３を差し込むことができる収容体１と、収容体１の頂部に連結され各種の物品３８に取付けることができる取付帯２とから形成する。ＩＣタグ用の保持具の用途は種々あるが、ここではドライクリーニングを施す物品３８に取り付けて使用する場合を説明すると、保持具がドライクリーニング時における熱１５０℃〜２１０℃に耐えられる材質でなければならないので、樹脂たとえばポリフェニレンスルフィド（ＰＰＳ）、ポリエチレンテレフタレート（ＰＥＴ）、ポリアミド（ＰＡ）などを用いて射出成形手段で収容体１、取付帯２および差込体３における枠体３６を作製し、差込体３におけるＩＣチップ３０の周りを被覆する被覆部３１はＩＣチップ３０を水や薬品、たとえばドライクリーニング時に用いられる有機溶剤や、ウェットクリーニング時に用いられる中性洗剤などとの接触から保護するとともに、被覆時に加わる熱で破損しないようにするため、融点の低い樹脂例えば融点が１３０℃〜１４０℃で射出成形の場合は、エチレン酢酸ビニル共重合樹脂（ＥＶＡ）、ホットメルト加工の場合はウレタン系ポリエステル樹脂を用いてＩＣチップ３０を埋装する。この樹脂以外に紫外線硬化性接着剤を塗布してＩＣチップ３０を保護してもよい。これにより、差込体３とＩＣタグ４とは一体に固定され、収容体１を交換する際には、ＩＣタグ４を差込体３ごと新たな収容体１ヘ差し込めばよい。
【００２８】
ＩＣタグ用の保持具における収容体１は全体が縦長形状の扁平形に形成し、この収容体１の主体部分の左右に開口部８のある薄型の貫通孔９を横設して差込体３およびＩＣタグ４を収容可能な収容部７を形成し、この貫通孔９における上下の両内側面に差込体３の枠体３６の外面に設けた凸状の係止部３４と係止できる凹状の被係止部１０を設ける。収容体１の上側の頂部には物品３８例えば衣服のボタン穴の取付部３９に挿通できる細幅の取付帯２を一体に設け、収容体１における収容部７の上部側にこの取付帯２の先端に設けた係合部２０と係合できる被係合部１３を形成する。この被係合部１３は収容体１の表裏方向に貫通し、係合部２０の頭部２３が挿通可能な孔部１５を設け、この孔部１５の周壁の一部に形成され、孔部１５と連通する凹部１４を設けて係合部２０の首部２２を挿入して係合できる形態に形成する。なお、取付帯２を設ける位置は収容体１の頂部に限らず、収容体１の表面部分または裏面部分あるいは側面部分であってもよい。
【００２９】
一方、収容体１の頂部に基部を取り付けた取付帯２は、細幅の取付帯２で一端を収容体１に連結し、物品３８の取付部３９に挿通できる形態に形成し、取付帯２の先端には収容体１の収容部７の上部側に設けた被係合部１３に係合することができる係合部２０を設ける。この係合部２０は取付帯２の幅よりも幅広い基板２１を設け、この基板２１の中央に先端が膨大状を呈する頭部２３を設け、頭部２３と基板２１との間に頭部２３より細い首部２２を形成し、被係合部１３の凹部１４に挿入し係合する形態に形成する。
【００３０】
差込体３は、正方形の底板３３の周囲を周壁３２で囲んで枠体３６を形成し、この枠体３６の内部にＩＣチップ３０を埋装したＩＣタグ４を収容できるＩＣタグ収容部２９を形成する。周壁３２は上壁と、下壁と、左右側壁とから構成され、底板３３上にＩＣタグ４が載置されているときに、ＩＣタグ４の周側面と対向するように配置されている。これによりＩＣタグ収容部２９は、底板３３がＩＣタグ４の下面と対向し、周壁３２がＩＣタグ４の周側面と対向して、ＩＣタグ４の上面側のみが開口した形態となる。このＩＣタグ収容部２９に顧客の住所、氏名、物品名、使用洗剤、受付日、仕上り予定日などの情報を記憶したＩＣチップ３０を底板３３上に載置し、図３に示すように、ＩＣチップ３０の周りにホットメルト加工によって、溶融した樹脂を流し込み固化させ、樹脂で被覆した被覆部３１を有するＩＣタグ４を形成する。枠体３６の各周壁３２の外側面に突出する凸状の係止部３４を形成して差込体３を形成し、収容体１の収容部７に差し込んだとき、貫通孔９の上下内側面に設けた凹状の被係止部１０と係止して固定できる形態に形成する。被係止部１０には、周壁３２の上壁と下壁に設けた係止部３４が係止してもよいし、上壁と下壁に設けた係止部３４に代えて、左右側壁に設けた係止部３４が係止してもよい。これにより差込体３は、その上下左右方向および表裏方向を確認することなく収容体１に差し込んで係止部３４と被係止部１０とを係止させることができる。
【００３１】
ＩＣタグ用の保持具の使用態様は、情報を記憶したＩＣチップ３０を埋装した差込体３を収容体１の左右の開口部８から貫通孔９内すなわち収容部７に差し込むことで、図４に示すように、ＩＣタグ４の上面が収容体１に被覆され、ＩＣタグ４の全周が、収容体１と差込体３とで被覆されることになる。取付帯２の先端に形成した係合部２０を物品３８の取付部３９に挿通した後、係合部２０の頭部２３を収容体１に形成した被係合部１３の孔部１５に挿入し、係合部２０の基板２１に設けた首部２２を被係合部１３の凹部１４に係合させて収容体１を固定する。これにより保持具は物品に固定され、クリーニング業務に関する各種の処理、管理を行う。差込体３は収容体１の開口部８から露呈する周壁３２の一部を押圧することにより、被係止部１０と係止部３４の係止状態が解除され、押圧した側とは反対側の開口部８から抜き取って収容体１から取り外すことができる。収容体１が破損した際には、他の収容体に差し込んで再利用することができるＩＣタグ用の保持具であり、また物品はＩＣチップ３０に基づいて情報を読み取り、物品の処理、管理を完全自動化させることができる。なお、物品３８の取付部３９としては、衣服のボタン穴に限らずベルト通し紐、あるいはタックなどの部分があげられ、取付帯２を巻き掛けて装着される部分であれば、どのような部分であってもよい。また人体に保持具を装着させる場合は、例えば手首に取付帯２を巻回して、係合部２０と被係合部１３とを係合させればよい。これによりアミューズメント施設に入退場したときの乗物への搭乗、飲食などの利用状況に関する清算の管理を行うことができる。
【実施例２】
【００３２】
図５，６に示す実施例２のＩＣタグ用の保持具は、収容体１と取付帯２とが別体に形成されているところに特徴があり、収容体１は樹脂製の縦長形状の扁平形に形成し、この収容体１の主体部分の左右に開口部８のある薄型の貫通孔９を横設して収容部７を形成し、この貫通孔９における表裏面のうち片面すなわち裏面に差込体３の枠体３６の下面に突設した凸状の係止部３４と係止できる孔部１５から形成した被係止部１０を設ける。係止部３４は底板３３の下面に設けてよい。収容体１の頂部すなわち収容部７の上部側に取付帯２を挿通することができる挿通孔１６を設けて引掛杆１７を形成し、この引掛杆１７に取付帯２を取り付ける。
【００３３】
取付帯２は面ファスナー帯２４から形成し、この面ファスナー帯２４の一端すなわちフック部２５とループ部２６のない平坦部分を収容体１の挿通孔１６に挿通し、引掛杆１７に面ファスナー帯２４の基端を縫着などによって取り付ける。面ファスナー帯２４は先端部分にフック部２５を植設し、かつ基端に近い部分にループ２６を植設し、フック部２５とループ部２６の間には無植状態の平坦面を形成し、物品３８の取付部３９に取り付ける便を図る。面ファスナー帯２４は物品３８の取付部３９にフック部２５側を挿通した後、フック部２５をループ部２６に掛着して取付帯２の先端を取付帯２の基端側に取り付け固定する。この実施例においては、フック部２５が係合部２０の役割を果し、ループ部２６が被係合部１３の役割を果す。
【００３４】
差込体３は正方形の底板３３の周囲を囲んだ周壁３２から形成された枠体３６を設けてＩＣタグ収容部２９を形成し、枠体３６の下面に収容体１の収容部７に穿設した孔部１５から形成した被係止部１０に係止できる凸状の係止部３４を突設する。ＩＣチップ３０の周囲を熱可塑性樹脂の被覆部３１で被覆したＩＣタグ４を枠体３６とは別体に形成し、このＩＣタグ４をＩＣタグ収容部２９に収容し、また分離できる形態に形成して差込体３を形成する。なお、差込体３は正方形状に限らず、長方形または台形のような形状でもよく、収容体１の形状に合せて適宜形成する。
【００３５】
ＩＣタグ用の保持具の使用態様は、情報を記憶したＩＣチップ３０を埋装したＩＣタグ４を、枠体３６のＩＣタグ収容部２９に収容して差込体３を形成し、この差込体３を収容体１の収容部７に差し込んで係止部３４と被係止部１０とを係止して固定し、収容体１に取り付けられた取付帯２の面ファスナー帯２４の先端を物品の取付部３９に挿通した後、面ファスナー帯２４の先端のフック部２５を面ファスナー帯２４の基端に植設したループ部２６に掛止することによって保持具を固定して使用する。
【実施例３】
【００３６】
図７，８に示す実施例３のＩＣタグ用の保持具は、収容体１と取付帯２とを樹脂で一体に成形するとともに、差込体３がない形態に特徴があり、収容体１は係脱自在な本体１８と蓋体１１とから形成し、収容体１は取付帯２の一端に有底の円筒形の本体１８が形成されたＩＣタグ収容部２９を設け、本体１８の周壁３２の上部外側面に凸条形の係止部３４を設ける。この本体１８に被る円筒形の蓋体１１の周縁部１２の内側面に、前記の凸条形の係止部３４と係止できる凸条形の被係止部１０を設ける。本体１８と蓋体１１とで形成するＩＣタグ収容部２９には、ＩＣチップ３０を埋装する形状で樹脂で被覆し、この被覆する樹脂の被覆部３１によって円盤形のＩＣタグ４を形成し、このＩＣタグ４をＩＣタグ収容部２９に収容して上方から蓋体１１を被せ、被係止部１０と係止部３４とを係止させ固定する。
【００３７】
取付帯２は収容体１の本体１８から一体に延設された薄い長尺状の舌片から形成され、先端に茸状の係合突起２７を設けることによって係合部２０を形成し、取付帯２の中間部分に等間隔で複数個の係合孔２８を設けることによって被係合部１３を形成する。取付帯２は物品の取付部に先端から挿通し、取付帯２を反転させることによって、先端に突設した係合突起２７を対応する係合孔２８に挿入し係合させて取り付けるタイプのＩＣタグ用の保持具である。
【００３８】
なお、取付帯２の形態は、前記実施例１、実施例２、実施例３において示された扁平状の取付帯２のみでなく、全体が糸状またはモノフィラメントから形成された適宜形状の取付帯であってもよい。
【産業上の利用可能性】
【００３９】
この発明のＩＣタグ用の保持具は、構成部材の一部である収容体に各種の物品の情報を記憶させたＩＣチップを内蔵したＩＣタグを備え、ＩＣチップに記憶した情報に基づいて、物品の処理かつ管理を完全自動化させ効率を高めることができ、衣服などのクリーニングや、遊園地やテーマパーク等のアミューズメント施設の入退場の管理に適用することができる。
【図面の簡単な説明】
【００４０】
【図１】実施例１に基づくＩＣタグ用の保持具の分解斜視図である。
【図２】同上のＩＣタグ用の保持具の組み立て状態を示す要部断面図である。
【図３】同上のＩＣタグの製作工程を示す説明図である。
【図４】同上のＩＣタグ用の保持具の図２におけるＡ−Ａ断面図である。
【図５】実施例２に基づくＩＣタグ用の保持具の分解斜視図である。
【図６】同上のＩＣタグ用の保持具の物品への取り付け状態を示す断面図である。
【図７】実施例３に基づくＩＣタグ用の保持具の分解斜視図である。
【図８】同上のＩＣタグ用の保持具の物品への取り付け状態を示す断面図である。
【図９】公知のＩＣタグ用のバンドの部分断面図である。
【図１０】他の公知のＩＣタグ用の結束バンドの平面図である。
【符号の説明】
【００４１】
１        収容体
２        取付帯
３        差込体
４        ＩＣタグ
７        収容部
１０      被係止部
１１      蓋体
１２      周縁部
１３      被係合部
１８      本体
２０      係合部
２９      ＩＣタグ収容部
３０      ＩＣチップ
３２      周壁
３３      底板
３４      係止部
【図１】
2007292796.tif 000003
【図２】
2007292796.tif 000004
【図３】
2007292796.tif 000005
【図４】
2007292796.tif 000006
【図５】
2007292796.tif 000007
【図６】
2007292796.tif 000008
【図７】
2007292796.tif 000009
【図８】
2007292796.tif 000010
【図９】
2007292796.tif 000011
【図１０】
2007292796.tif 000012